(57)【特許請求の範囲】
【請求項１】
棒状本体（２）の先端部に、蓋受枠（１２）に支持された蓋（１３）の周縁のバール孔（１４）に挿入される偏平状のバール片（３）を連設するとともに、該バール片（３）の上側に、前記バール孔（１４）の開口部に追設された凹陥部（１５）に嵌合される膨出部（４）を設け、バール片（３）の下側の付根部近傍に、前記蓋受枠（１２）の上面に当接されて回動支点をなす支持座（５）を設けてなることを特徴とする地表埋設室用蓋の開閉器。
【請求項２】
棒状本体（２）の先端部に偏平状のバール片（３）を連設するとともに、該バール片（３）の上側に膨出部（４）を設け、バール片（３）の下側の付根部近傍に支持座（５）を設けて開閉器（１）を形成し、蓋受枠（１２）に支持された蓋（１３）の周縁のバール孔（１４）に前記開閉器（１）のバール片（３）を挿入するとともに、膨出部（４）を前記バール孔（１４）の開口部に追設された凹陥部（１５）に嵌合し、支持座（５）を前記蓋受枠（１２）の上面に当接し、該支持座（５）を支点として棒状本体（２）を回動操作する地表埋設室用蓋の開放方法。
【発明の詳細な説明】
【０００１】
【発明の属する技術分野】
本発明は地表埋設室用蓋の開閉器及び開放方法に関するものであり、より詳しくは、マンホール、桝、弁（栓）室等、各種の地表埋設室の上面開口を閉塞せる蓋を開放するための開閉器及びこれを用いた蓋の開放方法に関するものである。
【０００２】
【従来の技術】
従来、地表埋設室用蓋の開閉器としては、例えば図６（イ）及び（ロ）に示す如く、鋼製で断面円形の真直ぐな棒状本体２ａの先端部を舌片状に成形してバール片３ａとなすものがある。
この従来の開閉器１ａにあっては、例えば図７（イ）乃至（ハ）に示す如く、弁室等の各種地表埋設室１１の上面開口を囲繞する蓋受枠１２に支持された蓋１３の周縁に設けられたバール孔１４にそのバール片３ａを挿入する。而してバール片３ａの上面をバール孔１４に係止し、蓋受枠１２の内周面の上部隅角部１８にバール片３ａの下面を当接するとともに、該当接部を支点として棒状本体２ａの上部末端側を下方に回動させ、梃子作用により閉塞せる蓋１３を開放するものである。
【０００３】
【発明が解決しようとする課題】
しかしながら、かかる従来の開閉器１ａは、単に真直ぐな棒状本体２ａの先端部を舌片状のバール片３ａに成形しているにすぎないために、蓋１３の開放時において、バール片３ａを蓋１３のバール孔１４に挿入した際には、図７（ハ）に示す如く、バール孔１４内でバール片３ａの位置が固定されずに矢印方向に動きやすく、安定した状態で棒状本体２ａを回動操作しがたい問題があった。
【０００４】
又、図７（イ）に示す如き蓋受枠１２との間に少許の隙間を存して嵌め込まれた蓋１３を開放するにはそれ程支障はないが、地表埋設室１１上を通行する車両等により蓋受枠１２と蓋１３との間に生じたガタツキに起因する騒音発生を防止すべく、蓋１３の外周面と蓋受枠１２の内周面とが滑らかに加工されて両者間に隙間がなく、例えば図７（ロ）及び（ハ）に示す如く、蓋１３が蓋受枠１２に密接して嵌め込まれている場合には、かかる従来の開閉器１ａでは、密嵌せる蓋１３の開放に手間がかかったり、真直ぐな棒状本体２ａが曲がったりする問題点もあった。
更に、何れの場合も、図７（イ）及び（ロ）に示す如く、必ず蓋受枠１２の内周面の上部隅角部１８にバール片３ａの下面を当接し、該当接部を支点として回動操作するために、バール片３ａの下面や上部隅角部１８が局部的に摩耗、損傷し、該所を支点とした梃子作用が利きにくくなる問題点もあった。
【０００５】
本発明はかかる従来の問題点に鑑みなされたもので、密嵌せる蓋１３の開放時に、安定した状態で且つ容易に回動操作できるとともに、回動操作時の棒状本体２の変形を防止した地表埋設室用蓋の開閉器及びこれを用いた蓋の開放方法を提供することを目的としている。
【０００６】
【課題を解決するための手段】
上記課題を解決するため、本発明の地表埋設室用蓋の開閉器は、棒状本体２の先端部に、蓋受枠１２に支持された蓋１３の周縁のバール孔１４に挿入される偏平状のバール片３を連設するとともに、該バール片３の上側に、前記バール孔１４の開口部に追設された凹陥部１５に嵌合される膨出部４を設け、バール片３の下側の付根部近傍に、前記蓋受枠１２の上面に当接されて回動支点をなす支持座５を設けてなることを特徴とする。
【０００７】
かかる本発明の地表埋設室用蓋の開閉器によれば、密嵌せる蓋１３の開放時に、バール片３を蓋受枠１２に支持された蓋１３の周縁のバール孔１４に挿入すると、バール片３下側の付根部近傍にある支持座５が蓋受枠１２の上面に当接して棒状本体２をその上面から浮上させて支持し、又、これに加えて前記バール孔１４の開口部に凹陥部１５が追設されている場合には、該凹陥部１５にバール片３上側の膨出部４が嵌合して、バール片３がバール孔１４内で遊ぶことなく位置決めされる。
従って、前記支持座５或いはこれと膨出部４との作用により、開閉器１をバール孔１４へ安定状態で嵌挿できるとともに、支持座５を支点として棒状本体２の上部末端を少ない力で下方へスムーズに回動操作できると同時に、梃子作用により、バール孔１４に係止するバール片３の先端が上動して蓋１３を容易に開放することができる。又、回動支点となる支持座５を蓋受枠１２の上面に当接することで棒状本体２と蓋受枠１２との接触を回避でき、開閉器１自体や蓋受枠１２の内周面の上部隅角部１８が摩耗、損傷するようなことがない。
【０００８】
又、本発明の地表埋設室用蓋の開放方法は、棒状本体２の先端部に偏平状のバール片３を連設するとともに、該バール片３の上側に膨出部４を設け、バール片３の下側の付根部近傍に支持座５を設けて開閉器１を形成し、蓋受枠１２に支持された蓋１３の周縁のバール孔１４に前記開閉器１のバール片３を挿入するとともに、膨出部４を前記バール孔１４の開口部に追設された凹陥部１５に嵌合し、支持座５を前記蓋受枠１２の上面に当接し、該支持座を支点として棒状本体２を回動操作するものである。
かかる本発明によれば、密嵌せる蓋１３の開放時に、バール片３上側の膨出部４が蓋１３のバール孔１４の凹陥部１５に嵌合することにより、バール片３がバール孔１４内で遊ぶことなく確実に位置決めされるとともに、支持座５が蓋受枠１２の上面に当接して棒状本体２をその上面から浮上させて支持する。従って、凹陥部１５を追設したバール孔１４に開閉器１をより一層安定状態で嵌挿でき、且つ支持座５を支点として棒状本体２の上部末端側を下向き方向へ回動させる操作がスムーズに行えると同時に、梃子作用によりバール孔１４に係止するバール片３の先端が上動して、蓋１３を容易に浮上させて開放することができる。
【０００９】
【発明の実施の形態】
以下、図面を参照しながら本発明の実施の形態について説明する。
図１（イ）及び（ロ）は本発明の一実施形態に係る開閉器を示し、１は本発明の開閉器であって、断面円形の棒状本体２の先端部を偏平させるとともにその先端を上向き状に曲折して略逆へ字形をなすバール片３となし、該バール片３の上側で略逆へ字形の曲折部に膨出部４を設け、バール片３の下側の付根部近傍、即ち、その下側で前記膨出部４よりバール片３と反対側末端方向に少しずれた位置に棒状本体２と交差する短円柱状の支持座５を設けてなる。
又、上記支持座５からバール片３と反対側末端方向に離隔した位置に屈曲部６を設け、棒状本体２を略へ字形に曲折するとともに、その末端２′に舌片状のバール片８を一体的に設け、前記屈曲部６の略へ字形の狭角側、即ち、棒状本体２の下側で支持座５から末端２′方向の長さ方向に沿ってリブ状の補強材７を設けてなる。
尚、当該開閉器１は、金属製、樹脂製等、所望の性能に応じて任意の材質から構成されてなるものである。
【００１０】
次に、かかる開閉器１の使用例を図１（ハ）、図２（イ）乃至（ハ）に基づいて説明する。
まず、棒状本体２の末端２′側を把持し、弁室等の各種地表埋設室１１の上面開口を囲繞する蓋受枠１２に支持された蓋１３の周縁に設けたバール孔１４にそのバール片３を挿入するとともに、膨出部４をバール孔１４に追設された凹陥部１５に嵌合させ、支持座５を蓋受枠１２の上面に当接する。次いで前記支持座５を支点として棒状本体２の末端２′側を下方に回動させ梃子作用を働かせることで、バール孔１４に係止するバール片３の先端が上動して蓋１３が浮上し開放される。
【００１１】
前記蓋１３の開放時に、バール片３上側の膨出部４が蓋１３のバール孔１４の凹陥部１５に嵌合されることで、バール片３がバール孔１４内で遊ぶことなく位置決めされるとともに、棒状本体２が略へ字形に曲折していることと相まって、棒状本体２の自重によりバール片３の先端がバール孔１４に自動的に係止し、又、支持座５が蓋受枠１２の上面を押圧する如く、曲折する棒状本体２の末端２′側が自然に回動方向（下向き）へ向け屈曲して緩傾斜状態となる。そのために、開閉器１を安定状態で装着でき、且つ緩傾斜状態をなす棒状本体２の末端２′側に、梃子作用を奏じさせる下向きの力を作用させやすくなり、容易に回動操作させて蓋１３を開放できるものである。又、その時、屈曲部６の下側に添着した補強材７が、棒状本体２の断面係数を増大させ、その弾性変形を防止して梃子作用をよく利かせることで蓋１３の開放がより速やかに行えるものである。
【００１２】
尚、前記蓋１３の周縁のバール孔１４は、蓋１３の上面及び蓋受枠１２の内周面側に開口し、図２（ニ）に示す如く、蓋受枠１２の上部隅角部１８との対向部略中央に、略半円形状の凹陥部１５が追設されており、一方、前記バール片３の膨出部４は、図２（ロ）に示す如く、前記略半円形状の凹陥部１５に適合すべく略かまぼこ形状となされているが、その形状は自由であり、該膨出部４と凹陥部１５が凹凸嵌合可能となるべく夫々相応する形状になされていればよい。
又、棒状本体２の末端２′にある舌片状のバール片８の使用例について説明すると、前記バール片３による蓋１３の解放前に密嵌せる蓋１３を予め開放しやすい状態にしておくために、蓋１３の周縁に設けた他のバール孔にバール片８を挿入して抉ることにより、蓋１３と蓋受枠１２との嵌合を緩めたり、その他の場所で通常のバールとして兼用的な使用が行える。
【００１３】
図３（イ）乃至（ハ）は本発明の他実施形態に係る開閉器を示し、本発明の開閉器１は上記図１に示すものの変形実施例であって、棒状本体２と交差する支持座５が長尺棒状の把手状をなし、棒状本体２をより長尺となしてその末端２′に角筒形で袋状をなすキャップ体９を一体的に設けた点で異なる他は上記図１に示すものと同構造をなす。
【００１４】
かかる開閉器１の使用例において、バール片３による蓋１３の開放については、上記図１（ハ）、図２（イ）乃至（ハ）に示す使用例と同様であるためこれを援用するが、当該開閉器１の支持座５は長尺棒状に形成され蓋受枠１２の上面との接触長さが増加してバール孔１４への装着時及び梃子運動時（図１（ハ）及び図２（イ）、（ハ）時）の安定性が更に良くなるという点で優位性を有する。
次に、棒状本体２の末端２′にあるキャップ体９の使用例を図３（ニ）に基づいて説明する。
即ち、バール片３による蓋１３の開放後、弁室等の各種地表埋設室１１及び地中埋設室１１′内に配置された埋設機器１６（例えて消火栓、仕切弁等）の弁開閉螺子１７を回転させてその弁等を開閉すべく、蓋受枠１２の上面開口から棒状本体２を把持して開閉器１を差し入れ、その末端２′にあるキャップ体９を埋設機器１６から垂設せる弁開閉螺子１７に嵌挿させるとともに、その上位で水平状をなして把手となる支持座５を回転させることにより、棒状本体２及びキャップ体９を介して弁開閉螺子１７を回転させるものである。
尚、前記角筒形をなすキャップ体９の形状は自由であり、該キャップ体９を嵌挿する弁開閉螺子１７の形状に相応して、該弁開閉螺子１７を回転させられるものであればよい。
【００１５】
図４（イ）乃至（ホ）は本発明の更に他実施形態に係る開閉器を示し、本発明の開閉器１は、略へ字形の屈曲部６を有しない真直ぐな棒状本体２の先端部に舌片状のバール片３を成形し、その上側に膨出部４を、又、その下側の付根部近傍に、一端部が第二バール部１０としての舌片状のバール片１０ａ、他端部が第二バール部１０としてのＴ字片１０ｂとなされた長棒状の支持座５を棒状本体２と交差して設けるとともに、該支持座５から末端２′方向の長さ方向に沿ってリブ状の補強材７を設け、且つ末端２′にキャップ体９を一体的に設けてなる。
【００１６】
かかる開閉器１では、棒状本体２を略へ字形に曲折する屈曲部６がないために、屈曲部６を有する前記図１及び図３に示す開閉器１に比べると、バール片３をバール孔１４に挿入した際の棒状本体２がやや起立状となり回動方向に対する傾斜度合いが少なくなるものの、バール片３による蓋１３の開放使用例については、前記図２（イ）乃至（ハ）に示す使用例と同様であるためこれを援用し、又、把手をなす支持座５及び末端２′にあるキャップ体９の使用例は、前記図３（ニ）に示す使用例と同様であるためこれを援用する。
而して、支持座５の一端部にある第二バール部１０としてのバール片１０ａの使用例は、図４（ヘ）に示すように、棒状本体２と該棒状本体２と交差する長棒状の支持座５とが鶴嘴状を呈するので、支持座５の一端部にあるバール片１０ａをバール孔１４に挿入し、棒状本体２の末端２′側を上動させることでバール孔１４を抉ることができ、バール片３による蓋１３の解放前に、蓋受枠１２との密嵌状態を緩めたり、その他の場所で通常のバールや鶴嘴として兼用的な使用が行える。
又、支持座５の他端部にあるＴ字片１０ｂは、図４（ロ）及び（ホ）に示すように、端部に向かってその径が漸次小さくなされた支持座５を中心軸としてその両側に相対して板片が外突されることで、平面視略逆Ｔ字型を呈してなる。而して、その使用に際しては、長棒状の支持座５を略垂直状にして、該Ｔ字片１０ｂを図４（へ）及び（ト）に示す如き蓋１３に穿設された係止孔２０に沿わせて挿入し（図４（ホ）に破線で示す）、支持座５を軸として該支持座５と共にＴ字片１０ｂを上記係止孔２０内で適宜角度回転させて蓋１３の裏面側に係止することができ、バール片３による蓋１３の開放後に、棒状本体２や支持座５を把持して蓋１３を持ち上げ安全に移動させることができる。
【００１７】
尚、上記各実施形態において、棒状本体２については、その断面形状は円形の他、だ円形、半円形、三角形、方形、多角形等適宜形状としてもよく、又、中実或いは中空であってもよく、その長さは蓋１３の大きさや重量、或いは地表埋設室１１や地中埋設室１１′内の埋設機器１６の埋設深さ等によりその使用目的に応じた適宜長さに設計されればよい。又、バール片３については、その形状、寸法は蓋１３のバール孔１４に適合すればよく、その先端部に略逆へ字形の曲折部を設ければ、蓋１３の開放時に該所がバール孔１４に係止しやすく好ましいが、かかる略逆へ字形の曲折角度はとくに限定されず、例えて図４に示すような舌片直状のバール片３であってもよい。
又、支持座５についても、円柱状以外に、だ円柱状、半円柱状、三角柱状、四角柱状、多角柱状等、梃子の支点をなすべく適宜形状となされ、棒状本体２と交差すべく適宜手段により該棒状本体２と一体化されればよく、又、長棒状をなす場合には、その端部に必要に応じて第二バール部１０が設けられればよい。又、略へ字状をなす屈曲部６の曲折角度についても、棒状本体２の長さや回動操作性等により適宜決められればよい。
【００１８】
更に、補強材７は、図５（イ）及び（ロ）に示す如く、屈曲部６を有する棒状本体２の上側で膨出部４と連設してバール片３と反対側末端方向の長さ方向に沿ってリブ状に設けられてもよいし、図５（ハ）乃至（ホ）に示す如く、棒状本体２の上側で膨出部４自体がそのままバール片３と反対側末端方向の長さ方向に沿って延長されて設けられてもよく、これらの場合は、支持座５から先にあるバール片３自体の変形をも防止できて好ましいし、或いは棒状本体２の上側と下側の両側に長さ方向に沿って設けられれば、一層強固な開閉器となすことができる。更に又、その形状もバール片３、屈曲部６や棒状本体２を補強できればよく、適宜形状のものが棒状本体２の長さ方向に沿って適宜手段により一体化されればよいもので、上記各実施形態のものに限定するものではない。
又、第二バール部１０及びバール片８についても、通常のバールと同様な形状を含む所望形状となされればよく、その形状を限定するものではない。又、膨出部４及びキャップ体９については、既に述べた通りの形状であればよい。
【００１９】
即ち、上記各実施形態における、棒状本体２、バール片３、膨出部４、支持座５、屈曲部６、補強材７、第二バール部１０、キャップ体９、バール片８の夫々の形状や寸法或いは曲折角度等は上記各実施形態のものに限定されず、本発明の意図する範囲内で適宜設計変更可能である。
尚、本発明の開閉器１によって開放される蓋１３は、方形、円形、多角形等適宜形状のもので、少なくともその周縁に、上面及び蓋受枠１２の内周面側に開口してバール片３が挿入可能なバール孔１４を備えたものであればよく、又、とくに蓋受枠１２の上部隅角部１８と対向するバール孔１４の開口部に適宜形状の凹陥部１５が追設されていると、該凹陥部１５にバール片３の上側の膨出部４を挿入、嵌合してバール片３の位置決めができ好ましい。尚又、バール孔１４に前記凹陥部１５が追設されていない蓋１３であっても、バール孔１４にバール片３の先端部が係止可能な場合等においては、本発明の開閉器１によって蓋１３の開放が可能である。
【００２０】
【発明の効果】
以上詳述した如く、本発明の地表埋設室用蓋の開閉器は、棒状本体の先端部に、蓋受枠に支持された蓋の周縁のバール孔に挿入される偏平状のバール片を連設するとともに、該バール片の上側に、前記バール孔の開口部に追設された凹陥部に嵌合される膨出部を設け、バール片の下側の付根部近傍に、前記蓋受枠の上面に当接されて回動支点をなす支持座を設けてなるために、密嵌せる蓋の開放時に、バール片を蓋受枠に支持された蓋の周縁のバール孔に挿入すると、バール片下側の付根部近傍にある支持座が蓋受枠の上面に当接して棒状本体をその上面から浮上させて支持し、又、これに加えて前記バール孔の開口部に凹陥部が追設されている場合には、該凹陥部にバール片上側の膨出部が嵌合して、バール片がバール孔内で遊ぶことなく位置決めされる。従って、前記支持座或いはこれと膨出部との作用により、開閉器をバール孔へ安定状態で嵌挿できるとともに、支持座を支点として棒状本体の上部末端を少ない力で下方へスムーズに回動操作できると同時に、梃子作用により、バール孔に係止するバール片の先端が上動して蓋を容易に開放することができる。又、回動支点となる支持座を蓋受枠の上面に当接することで、棒状本体と蓋受枠との接触を回避でき、従来のように開閉器自体や蓋受枠の内周面の上部隅角部が摩耗、損傷するようなことがない。
【００２１】
又、本発明の地表埋設室用蓋の開放方法は、棒状本体の先端部に偏平状のバール片を連設するとともに、該バール片の上側に膨出部を設け、バール片の下側の付根部近傍に支持座を設けて開閉器を形成し、蓋受枠に支持された蓋の周縁のバール孔に前記開閉器のバール片を挿入するとともに、膨出部を前記バール孔の開口部に追設された凹陥部に嵌合し、支持座を前記蓋受枠の上面に当接し、該支持座を支点として棒状本体を回動操作するために、密嵌せる蓋の開放時に、バール片上側の膨出部が蓋のバール孔の凹陥部に嵌合することにより、バール片がバール孔内で遊ぶことなく確実に位置決めされるとともに、支持座が蓋受枠の上面に当接して棒状本体をその上面から浮上させて支持する。従って、凹陥部を追設したバール孔に開閉器をより一層安定状態で嵌挿でき、且つ支持座を支点として棒状本体の上部末端側を下向き方向へ回動させる操作がスムーズに行えると同時に、梃子作用によりバール孔に係止するバール片の先端が上動して、蓋を容易に浮上させて開放することができる。
【図面の簡単な説明】
【図１】本発明の一実施形態に係る開閉器を示し、（イ）は正面図、（ロ）は平面図、（ハ）は使用例を示す断面図。
【図２】図１における開閉器の使用例と蓋を示し、（イ）は使用例を示す要部拡大断面図、（ロ）は同要部拡大平面図、（ハ）は蓋の開放途中の要部拡大断面図、（ニ）は開放する蓋の要部拡大平面図。
【図３】本発明の他実施形態に係る開閉器を示し、（イ）は一部省略正面図、（ロ）は同平面図、（ハ）は（イ）のＡ−Ａ端面図、（ニ）は使用例を示す一部断面図。
【図４】本発明の他実施形態に係る開閉器を示し、（イ）は一部省略正面図、（ロ）は同平面図、（ハ）は（イ）のＢ−Ｂ端面図、（ニ）は（ロ）におけるＣ−Ｃ矢視図、（ホ）は（ロ）におけるＤ−Ｄ断面図、（ヘ）は使用例を示す一部断面図、（ト）は（ヘ）におけるＥ−Ｅ拡大矢視図。
【図５】（イ）は本発明の他実施形態に係る開閉器を示す一部省略正面図、（ロ）は同平面図、（ハ）は本発明の更に他実施形態に係る開閉器を示す一部省略正面図、（ニ）は同平面図、（ホ）は（ニ）におけるＦ−Ｆ矢視図。
【図６】従来の開閉器の例を示し、（イ）は正面図、（ロ）は平面図。
【図７】（イ）及び（ロ）はそれぞれ従来の開閉器の使用例を示す要部拡大断面図、（ハ）は（ロ）の平面図。
【符号の説明】
１    開閉器
２    棒状本体
２′  末端
３    バール片
４    膨出部
５    支持座
６    屈曲部
７    補強材
８    バール片
９    キャップ体
１０    第二バール部
１０ａ    バール片
１０ｂ    Ｔ字片
１２    蓋受枠
１３    蓋
１４    バール孔
１５    凹陥部
【図１】
0003605727.tif 000002
【図２】
0003605727.tif 000003
【図３】
0003605727.tif 000004
【図４】
0003605727.tif 000005
【図５】
0003605727.tif 000006
【図６】
0003605727.tif 000007
【図７】
0003605727.tif 000008